(57)【要約】【課題】異常が発生したスチームトラップを点検修理している間も、継続してドレンを下流側のシステムに送ることが可能な蒸気システムを提供すること。【解決手段】蒸気システム１は、熱交換器２１と、並列接続部２２と、２つの三方弁２３，２６とを備える。熱交換器２１は、蒸気が対象物に放熱して凝縮する。並列接続部２２は、熱交換器２１の下流に設けられ、ドレンのみを排出する２つのスチームトラップ２４，２５が互いに並列に接続されている。２つの三方弁２３，２６は、並列接続部２２の入口側および出口側に設けられ、熱交換器２１で蒸気の凝縮によって発生したドレンが、２つのスチームトラップ２４，２５の一方を流通する状態と他方を流通する状態とに流路を切り換える。【選択図】図１
2017032110.tif 000002
【特許請求の範囲】
【請求項１】
蒸気が対象物に放熱して凝縮する蒸気使用部と、
上記蒸気使用部の下流に設けられ、ドレンのみを排出する２つのスチームトラップが互いに並列に接続された並列接続部と、
上記並列接続部の入口側および出口側に設けられ、上記蒸気使用部で蒸気の凝縮によって発生したドレンが、上記２つのスチームトラップの一方を流通する状態と他方を流通する状態とに流路を切り換える２つの三方弁とを備えている
ことを特徴とする蒸気システム。
【請求項２】
請求項１に記載の蒸気システムにおいて、
上記２つのスチームトラップの異常をそれぞれ検出する２つのセンサと、
上記蒸気使用部で発生した上記ドレンが流通している上記スチームトラップの異常を上記センサが検出すると、上記蒸気使用部で発生した上記ドレンが他方の上記スチームトラップを流通するように上記２つの三方弁を駆動して流路を切り換える制御部とを備えている
ことを特徴とする蒸気システム。
【発明の詳細な説明】
【技術分野】
【０００１】
本願は、スチームトラップを有する蒸気システムに関する。
【背景技術】
【０００２】
例えば特許文献１に開示されているように、蒸気で対象物を加熱する蒸気システム（蒸気加熱装置）が知られている。この蒸気システムは、蒸気が対象物と熱交換する熱交換器と、該熱交換器の下流に設けられるスチームトラップとを備えている。この蒸気システムでは、熱交換器において流入した蒸気が対象物に放熱して凝縮しドレン（復水）となる。これにより、対象物が加熱（潜熱加熱）される。そして、熱交換器で発生したドレンは、スチームトラップを介して自動的に下流側に排出される。この排出されたドレンは、例えば利用先のシステムに送られる。
【先行技術文献】
【特許文献】
【０００３】
【特許文献１】特開２０１３−１６９４７７号公報
【発明の概要】
【発明が解決しようとする課題】
【０００４】
ところで、上述したような蒸気システムでは、スチームトラップにおいて蒸気漏れや詰まりによるドレン排出不能等の異常が発生すると、下流側のシステム（ドレン利用先）の運転を一時停止しなければならない場合があった。即ち、スチームトラップに異常が発生すると、そのスチームトラップを点検修理する間、ドレンを下流側のシステムに送ることができないため、該システムの運転を継続することができない場合があった。
【０００５】
本願に開示の技術は、かかる事情に鑑みてなされたものであり、その目的は、異常が発生したスチームトラップを点検修理している間も、継続してドレンを下流側のシステムに送ることが可能な蒸気システムを提供することにある。
【課題を解決するための手段】
【０００６】
本願に開示の技術は、上記目的を達成するために、２つのスチームトラップを互いに並列接続し、蒸気使用部で発生したドレンを２つのスチームトラップの何れかに選択して流すことができるように流路を切り換えるようにした。
【０００７】
具体的に、本願の蒸気システムは、蒸気使用部と、並列接続部と、２つの三方弁とを備えている。上記蒸気使用部は、蒸気が対象物に放熱して凝縮するものである。上記並列接続部は、上記蒸気使用部の下流に設けられ、ドレンのみを排出する２つのスチームトラップが互いに並列に接続されたものである。上記２つの三方弁は、上記並列接続部の入口側および出口側に設けられ、上記蒸気使用部で蒸気の凝縮によって発生したドレンが、上記２つのスチームトラップの一方を流通する状態と他方を流通する状態とに流路を切り換えるものである。
【発明の効果】
【０００８】
以上のように、本願の蒸気システムによれば、２つのスチームトラップを互いに並列に接続し、蒸気使用部からのドレンが一方のスチームトラップを流通する状態と他方のスチームトラップを流通する状態とに流路を切り換える２つの三方弁を備えるようにした。そのため、例えばドレンが流通しているスチームトラップに異常が発生した場合、２つの三方弁によって流路を切り換えることにより、蒸気使用部からのドレンを他方（異常のない方）のスチームトラップに流すことができる。したがって、異常が発生したスチームトラップを点検修理している間においても、蒸気使用部で発生したドレンを継続して下流側のシステムに送ることができる。これにより、下流側のシステムを一時的に停止させることなく継続して運転することができる。
【図面の簡単な説明】
【０００９】
【図１】図１は、実施形態に係る蒸気システムの概略構成を示す回路図である。
【発明を実施するための形態】
【００１０】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１１】
本実施形態の蒸気システム１は、蒸気（飽和蒸気）で対象物（例えば、反応釜）を加熱するものである。図１に示すように、蒸気システム１は蒸気が流通する蒸気回路１０を備えている。蒸気回路１０は、熱交換器２１と、並列接続部２２と、２つの三方弁２３，２６（三方切換弁とも言う。）とを有している。
【００１２】
熱交換器２１は、入口側に供給菅１１が接続され、出口側に流出管１２が接続されている。供給菅１１は、水を加熱して蒸気（飽和蒸気）を生成する蒸気生成部（図示省略）に接続されている。
【００１３】
熱交換器２１は、蒸気生成部から供給菅１１を介して供給された蒸気が対象物に放熱して凝縮し、対象物が加熱される。蒸気は、凝縮することによってドレン（復水）になる。つまり、熱交換器２１は、蒸気の凝縮潜熱によって対象物を加熱（潜熱加熱）する潜熱熱交換器であり、本願の請求項に係る蒸気使用部を構成している。
【００１４】
並列接続部２２は、熱交換器２１の下流に設けられており、２つのスチームトラップ２４，２５（第１スチームトラップ２４、第２スチームトラップ２５）が互いに並列に接続されているものである。具体的に、並列接続部２２は、流入管１３、第１スチームトラップ２４および流出管１５が順に接続されてなる第１系統と、流入管１４、第２スチームトラップ２５および流出管１６が順に接続されてなる第２系統とを有している。そして、第１系統と第２系統とが並列に接続されている。スチームトラップ２４，２５は、熱交換器２１で蒸気の凝縮によって発生したドレン（復水）または蒸気混じりのドレン（復水）が流入し、ドレンのみを自動的に下流側に排出するものである。
【００１５】
並列接続部２２の入口側（即ち、流入管１３，１４の一端）および出口側（即ち、流出管１５，１６の一端）には、それぞれ三方弁２３，２６（入口側三方弁２３、出口側三方弁２６）が設けられている。つまり、並列接続部２２は、入口側が入口側三方弁２３を介して流出管１２に接続され、出口側が出口側三方弁２６を介して回収管１７に接続されている。回収管１７は、並列接続部２２を流通したドレンがドレン回収系統に送られる。
【００１６】
入口側三方弁２３および出口側三方弁２６は、熱交換器２１で発生したドレンが、２つのスチームトラップ２４，２５の一方を流通する状態と他方を流通する状態とに流路を切り換える電動式の流路切換弁である。具体的に、入口側三方弁２３は、第１ポートＰ１が流出管１２と接続され、第２ポートＰ２が第１スチームトラップ２４側の流入管１３と接続され、第３ポートＰ３が第２スチームトラップ２５側の流入管１４と接続されている。入口側三方弁２３は、第１ポートＰ１と第２ポートＰ２とが連通する第１状態（図１に実線で示す状態）と、第１ポートＰ１と第３ポートＰ３とが連通する第２状態（図１に破線で示す状態）とに切り換わるように構成されている。出口側三方弁２６は、第１ポートＰ１が回収管１７と接続され、第２ポートＰ２が第１スチームトラップ２４側の流出管１５と接続され、第３ポートＰ３が第２スチームトラップ２５側の流出管１６と接続されている。出口側三方弁２６は、第１ポートＰ１と第２ポートＰ２とが連通する第１状態（図１に実線で示す状態）と、第１ポートＰ１と第３ポートＰ３とが連通する第２状態（図１に破線で示す状態）とに切り換わるように構成されている。
【００１７】
並列接続部２２では、入口側三方弁２３および出口側三方弁２６が共に第１状態に切り換わることにより、熱交換器２１で発生したドレンが第１スチームトラップ２４を流通する状態になる。また、並列接続部２２では、入口側三方弁２３および出口側三方弁２６が共に第２状態に切り換わることにより、熱交換器２１で発生したドレンが第２スチームトラップ２５を流通する状態になる。このように、蒸気システム１では、熱交換器２１で発生したドレンを２つのスチームトラップ２４，２５の何れかに選択して流すことができる。
【００１８】
さらに、本実施形態の蒸気システム１は、制御部３０および２つのセンサ３１，３２を備えている。２つのセンサ３１，３２は、それぞれ、２つのスチームトラップ２４，２５に設けられ、スチームトラップ２４，２５の異常を検出するものである。ここに、スチームトラップ２４，２５の異常とは、例えば、蒸気が下流側に排出されてしまう蒸気漏れの状態や、排出口（図示省略）が異物等で詰まることによりドレンが排出不能になる状態である。制御部３０は、熱交換器２１で発生したドレンが流通しているスチームトラップ２４，２５の異常をセンサ３１，３２が検出すると、熱交換器２１で発生したドレンが他方（異常のない方）のスチームトラップ２４，２５を流通するように入口側三方弁２３および出口側三方弁２６を駆動して流路を切り換えるように構成されている。
【００１９】
例えば、入口側三方弁２３および出口側三方弁２６が共に第１状態に切り換わり、熱交換器２１で発生したドレンが第１スチームトラップ２４を流通しているときに、第１スチームトラップ２４の異常が発生すると、制御部３０は、入口側三方弁２３および出口側三方弁２６を共に第２状態に切り換える。これにより、熱交換器２１で発生したドレンは、第２スチームトラップ２５を流通してドレン回収系統に送られる。
【００２０】
以上のように、上記実施形態の蒸気システム１によれば、２つのスチームトラップ２４，２５を互いに並列に接続し、熱交換器２１からのドレンが一方のスチームトラップ２４，２５を流通する状態と他方のスチームトラップ２４，２５を流通する状態とに流路を切り換える２つの三方弁２３，２６を備えるようにした。そのため、例えばドレンが流通しているスチームトラップ２４，２５に異常が発生した場合、２つの三方弁２３，２６によって流路を切り換えることにより、熱交換器２１からのドレンを他方（異常のない方）のスチームトラップ２４，２５に流すことができる。したがって、異常が発生したスチームトラップ２４，２５を点検修理している間においても、熱交換器２１で発生したドレンを継続して下流側のドレン回収系統に送ることができる。これにより、下流側のシステムを一時的に停止させることなく継続して運転することができる。
【００２１】
また、上記実施形態の蒸気システム１では、熱交換器２１で発生したドレンが流通しているスチームトラップ２４，２５の異常が検出されると、熱交換器２１で発生したドレンが他方（異常のない方）のスチームトラップ２４，２５を流通するように２つの三方弁２３，２６を駆動して流路を切り換える制御部３０を備えるようにした。そのため、並列接続部２２における流路を自動で切り換えることができる。
【００２２】
なお、上記実施形態の蒸気システム１において、２つの三方弁２３，２６は電動式ではなく手動式のものであってもよい。その場合、制御部３０は省略される。
【００２３】
また、上記実施形態の蒸気システム１では、センサ３１，３２をスチームトラップ２４，２５に設けるようにしたが、センサ３１，３２はスチームトラップ２４，２５の異常を検出可能であれば如何なる場所に設けてもよい。
【００２４】
また、上記実施形態の蒸気システム１では、蒸気使用部が熱交換器２１である場合について説明したが、本願の請求項に係る蒸気使用部は蒸気が対象物に放熱して凝縮するものであれば如何なるものでもよい。例えば、蒸気使用部は、蒸気で空瓶等を加熱殺菌するもの、油の輸送配管の周りに蒸気配管を巻き付けて蒸気で油を加熱保温するものでもよい。
【産業上の利用可能性】
【００２５】
本願に開示の技術は、スチームトラップを有する蒸気システムについて有用である。
【符号の説明】
【００２６】
１        蒸気システム
２１      熱交換器（蒸気使用部）
２２      並列接続部
２３      入口側三方弁（三方弁）
２４      第１スチームトラップ（スチームトラップ）
２５      第２スチームトラップ（スチームトラップ）
２６      出口側三方弁（三方弁）
３０      制御部
３１      センサ
３２      センサ
【図１】
2017032110.tif 000003